(57)【特許請求の範囲】
【請求項１】
一方と他方に開口端を有する筒状の抵抗体の一方の開口端周縁部に、船に接続する複数の張索を設け、さらに船より伸長するセンターコードを一方の開口端より抵抗体内部に伸長させ、他方の開口端周縁部に沿って移動可能に設けるとともに、前記センターコードの先端部をこのセンターコードに固定してループを形成させて、前記センターコードを牽引することによって他方の開口端の開口寸法を制御可能にしたことを特徴とするシーアンカー。
【請求項２】
前記張索の船側のそれぞれの先端部は、船に固定される曳航索に接続していることを特徴とする請求項１記載のシーアンカー。
【請求項３】
前記曳航索と前記センターコードとを前記センターコードがテンションを負荷される状態で固定可能にする固定手段を備えていることを特徴とする請求項２記載のシーアンカー。
【請求項４】
前記固定手段は曳航索に設けられるフックとセンターコードに設けられる止めリングであり、前記フックに止めリングを係止させることによってセンターコードにテンションが負荷されるようになっていることを特徴とする請求項３記載のシーアンカー。
【請求項５】
前記一方の開口端周縁部に、剛性がありかつ柔軟性がある保形材を設けたことを特徴とする請求項１〜４のいずれか１項記載のシーアンカー。
【請求項６】
前記一方の開口端周縁部の一部に浮力体を、この浮力体に対向する位置に錘を設けたことを特徴とする請求項１〜５のいずれか１項記載のシーアンカー。
【発明の詳細な説明】
【０００１】
【産業上の利用分野】
本発明はシーアンカー、さらに詳細には抵抗体の抵抗を変化させることができ、かつブイを必要としないシーアンカーに関する。
【０００２】
【従来技術及び問題点】
シーアンカーは漁船、救命筏、救命艇などの安全確保、あるいは漁労時、魚釣り時など沖泊時に、船の安定を確保するため使用される水中抵抗体である。このようなシーアンカーは、従来、図４に示すように、パラシュート状の抵抗体１の開口周縁部複数の張索２を設けて、この張索２の他方の端部を相互に一体化するとともに、前記一体化部分より曳航索３を伸長させて船Ｓに接続する構造になっている。
【０００３】
前記抵抗体１の頂上部１１には、水を逃がすための排水口１２が設けられており、シーアンカーが大きな抵抗を受けて、不安定にならないようになっている。すなわちこの排水口１２によって船Ｓが受ける抵抗が制御されるようになっている。この頂上部１は浮力のあるブイ５にブイライン４によって接続されている。
【０００４】
このような構造のシーアンカーを使用する場合、曳航索３によって船Ｓに接続された抵抗体１を水中に投げ込むだけでよい。水の抵抗によって、前記パラシュート状の抵抗体１は開き、水が充填されることによって、船Ｓを安定化させることになる。一方、抵抗体１の頂上部１１に接続されたブイ５はブイライン４を牽引し、水上に浮き上がり、前記抵抗体１の位置表示の作用を営む。
【０００５】
シーアンカーを引き上げる場合には、前記ブイ５を船上に引き上げ、ブイライン４を引くことによって前記抵抗体１を頂上部１１より引き上げるようになっている。曳航索３を牽引することによって、前記抵抗体１を引き上げることは、抵抗が大きすぎて困難であるためである。したがって、このブイ５は抵抗体１を引き上げるために設けられている。
【０００６】
このような構造のシーアンカーにおいては、前述のように曳航索３を牽引することによって船上に引き上げることはできず、このためブイ５及びブイライン４を必要とするという欠点がある。また、頂上部１１に形成された排水口１２の寸法は一定であり、抵抗体１の抵抗を変化させることはできないという欠点がある。
【０００７】
本発明は上述の問題点に鑑みなされたものであり、頂上部に形成された排水口の寸法を変化させることにより、曳航索を牽引することによって船上に引き上げ可能な抵抗体を有するシーアンカーを提供することを目的とする。さらに前記排水口の寸法を変化させることによって抵抗体の抵抗を制御可能なシーアンカーを提供することを目的とする。
【０００８】
【問題点を解決するための手段】
上記問題点を解決するため、本発明によるシーアンカーは、一方と他方に開口端を有する筒状の抵抗体の一方の開口端周縁部に、船に接続する複数の張索を設け、船より伸長するセンターコードを一方の開口端より抵抗体内部に伸長させ、他方の開口端周縁部に沿って設けるとともに、前記センターコードの先端部をこのセンターコードに固定してループを形成させて、前記センターコードを牽引することによって他方の開口端の開口寸法を制御可能にしたことを特徴とする。
【０００９】
【実施例】
図１は本発明による一実施例の斜視図、図２は他方の開口端付近の断面図であるが、これらの図より明らかなように、一方と他方の開口端１３，１４を備えた中空円筒状の抵抗体１の一方の開口端周縁部１３１に、船Ｓに接続するための複数の張索２が固定されており（この実施例については４つ）、前記張索２の一方の先端部は接続治具２１によって一体化されて曳航索３の一端に接続している。そしてこの曳航索３の他端は船Ｓに固定されている。
【００１０】
前記張索２は、この実施例においては、一方の開口端１３より前記抵抗体１の外表面に沿って固定され、他方の開口端１４を越えて伸長し、その開口端１４を越えて伸長した他方の先端部に案内ループ２２が形成された構造になっている。
【００１１】
本発明ににおいて、センターコード６が設けられており、このセンターコード６の一方の端部は船Ｓに伸長している。そして他方の端部は抵抗体１の一方の開口端１３より抵抗体１の内部を伸長し、他方の開口端１４の周縁部１４１に沿って移動可能に設けられ、さらに前記先端部はループ６１を形成するように前記センターコード６の所定部分に接続固定されている。すなわち、前記センターコード６は張索２の先端部に形成された案内ループ２２および前記開口端１４の周縁部１４１に適時形成された案内ループ１５を貫通して通過し、かつ前記案内ループ２２及び案内ループ１５のいずれかに設けられた案内リング１６を貫通して、センターコード６の所定部分に接続固定されてループ６１が形成される構造になっている。
【００１２】
前記曳航索３には後述のセンターコード６を船Ｓ方向に案内するための案内リング３１が設けられているとともに、前記センターコード６を固定するためのフック３２が設けられた構造になっている。一方、前記センターコード６の船Ｓ側には、少なくとも一つの止めリング６２が形成されており（この実施例では複数）、前記止めリング６２を前記曳航索３のフック３２に係止させることによって、センターコード６の長さを制御でき（センターコード６がテンションを負荷された長さになる位置に止めリング６２及びフック３２は取り付けられている）、他方の開口端１４（排水口１２に相当する）の開口寸法を決めることができる。この止めリング６２を間欠的に複数設けることによって、排水口１２の寸法を複数に制御可能であり、抵抗体１の抵抗を変化させることができる（前記曳航索と前記センターコードとを前記センターコード６がテンションを負荷される状態で固定可能にする固定手段は、前記止めリング６２及びフック３２により構成される）。
【００１３】
この実施例においては、前記抵抗体１の一方の開口端１３の周縁部１３１の一部に浮力体１７を設けることができる。そして前記浮力体１７が設けられた周縁部１３１の対向する位置に錘１８が設けられており、前記抵抗体１は常に浮力体１７が設けられた部分が上方になるように構成されている。
【００１４】
本発明において、前記開口端１３の周縁部１３１に全周に亘って、剛性があり、活ある程度の柔軟性があるワイヤ(図示せず）を設けることができる。この場合、前記開口端１３は開口状態で水中に投下されることから、抵抗体１が開く時間を実質的に０とすることが可能である。このようなワイヤーは特に小型の抵抗体１の場合に有用であり、収納するときには８の字状に捩じって折曲し、小さく折り畳むことが可能である。
【００１５】
このような本発明によるシーアンカーを使用する場合、図３に示すように、まず、曳航索３のフック３２にセンターコード６の所定の止めリング６２を係止させる。このとき止めリング６２は、センターコード６にテンションが負荷される位置に設けられているため、センターコード６は引っ張られる状態になる。センターコード６の他端は抵抗体１の他方の開口端１４の周縁部１４１に沿って移動可能に設けられおり、かつループ６１が形成されているので、前記開口端１４（排水口１２）はセンターコード６のループ６１によって絞り込まれることになり、所定寸法の排水口１２が形成される。
【００１６】
このような状態で、水中に投下すると、所定の抵抗の排水口１２を有するシーアンカーとなる。
【００１７】
排水口１２の寸法は、前述のセンターコード６に複数設けられた止めリング６２を選択することにより、前記止めリング６２の数だけ選択可能になる。
【００１８】
このようなシーアンカーを引き上げるときには、センターコード６を引っ張り、抵抗体を内側から反転させてから（抵抗体の排水口を広げるのではなく、逆にしぼめた状態のまま曳航索側に引き込む）、センターコード６と曳航索３とを一緒に引き上げれば抵抗なく簡単に抵抗体を船に引き上げることができる。
【００１９】
あるいは以下の方法で簡単に引き上げることができる。前記止めリング６２をフック３２より取り外す。このように止めリング６２を係止解除することによって、センターコード６のテンションがなくなるため、センターコード６は抵抗体１側に移動し、前記開放端１４は当初の開口寸法に戻ることになる。このため、抵抗が少なくなり、前記曳航索３を牽引することによって、容易に船に引き上げることが可能になる。このとき、センターコード６を案内する曳航索３の案内リング３１は、前記止めリング６２と干渉し、それ以上センターコード６が抵抗体１方向に引っ張られるのを防止する作用を営む。このため、この案内リング３１はセンターコード６がテンションがかからない位置に設けられる。
【００２０】
以上のように本発明の一実施例を説明したが、抵抗体の開口端の形状は、円形である必要はなく種々の形状であることができ、またループ６１を案内する案内ループ２２及び１５もこれに限定されるものではなく、たとえばリングを取り付けて案内させるようにしてもよい。さらに、センターコードの長さを規定するフックおよび止めリングも、フック及びリングに限定されるものではなく、前記センターコードを所定の長さに固定できるものであればいかなる手段であってもよい。
【００２１】
【発明の効果】
以上説明したように、本発明によるシーアンカーによれば、センターコードを抵抗体の他方の開放端に沿って移動可能に設け、かつループを形成せしめたため、センターコードを引っ張ることによって開放端の開口寸法(排水口の寸法）を変化させることが可能である。このため、種々の抵抗の抵抗体とすることが可能であるとともに、センターコードのテンションが負荷されないときには、当初の開口寸法となり抵抗が小さくなるため、張索を牽引することによって抵抗体を船に引き上げることが可能であるという利点を生じる。
【図面の簡単な説明】
【図１】本発明によるシーアンカーの一実施例の斜視図。
【図２】抵抗体の他方の開口端付近の断面図。
【図３】本発明のシーアンカーの使用時における斜視図。
【図４】従来のシーアンカーの構造を示す斜視図。
【符号の説明】
１          抵抗体
１２          排水口
１３          一方の開口端
１４          他方の開口端
１５          案内ループ
２          張索
２２          案内ループ
３          曳航索
３１          案内リング
３２          フック
６          センターコード
６１          ループ
６２          止めリング
【図１】
0003981261.tif 000002
【図２】
0003981261.tif 000003
【図３】
0003981261.tif 000004
【図４】
0003981261.tif 000005